【事件の表示】
　平成１１年特許願第３２１０２２号「インクジェット式記録装置及びインクカートリッジ」拒絶査定不服審判事件〔平成１３年　５月２２日出願公開、特開２００１−１３８５４２〕について、次のとおり審決する。
【結　論】
　本件審判の請求は、成り立たない。
【理　由】
１．手続の経緯  
　本願は、平成１１年１１月１１日の出願であって、平成１７年２月２１日付け拒絶理由通知に対して同年４月１４日付けで手続補正がされたが、同年８月２３日付けで拒絶査定がされ、これに対して同年９月３０日に拒絶査定不服審判が請求されたものである。
　 　  
２．本願発明  
　本願の請求項１ないし７に係る発明は、平成１７年４月１４日付けの手続補正によって補正された明細書の特許請求の範囲の請求項１ないし７に記載された事項により特定されるとおりのものであるところ、そのうち、請求項６に係る発明は、次のとおりである。  
「【請求項６】　インク滴を吐出する複数のノズルを有するインクジェット式記録ヘッドに供給される各色のインクがそれぞれ収容されると共に底面にインク供給口を有し、該インク供給口に挿入されるインク供給針が固定された保持部材に並んで保持されるインクカートリッジであって、
　複数のインク収容室が備えられると共に所定数並んで保持され、
　各インクカートリッジに対して一つの前記インク供給口に接続される前記インク供給針が前記保持部材に備えられ、
　各色のインク供給口が、前記保持部材の前記インクカートリッジの並設方向とは交差する方向の異なる位置に固定され且つ前記保持部材の異なる位置に固定されたインク供給針に対応することを特徴とするインクカートリッジ。」（以下、「本願発明」という。） 
 　　  
３．先願発明  
　原査定の拒絶の理由に引用され、本願の出願日前の他の特許出願であって、その出願後に公開された特願平１１−２７６５８４号（特開２００１−９６７５９号公報参照）の願書に最初に添付された明細書又は図面（以下、「先願明細書等」という。）には、図示と共に以下の記載（１）〜（１２）がある。  
 　  
（１）「【００５４】（第２の実施形態）次に、本発明の第２の実施形態のインクジェット記録装置について説明する。図４は、本実施形態のインクジェット記録装置の移動走査部の構造を示す概略図である。図４には、ＸＹＺ軸の空間上に、本実施形態のインクジェット記録装置の移動走査部が図示されている。本実施形態のインクジェット記録装置は、キャリッジ４０１と、インク流路部１０６と、記録ヘッド部１０７とから構成される移動走査部を有している。」
　
（２）「【００５５】インクカートリッジ４０２、４０３はキャリッジ４０１に備えられた４つのポケットのうち、いずれのポケットにも装着可能である。キャリッジ４０１に備えられた４つのポケットには、４つのキャリッジ連結口４０４〜４０７がそれぞれ設けられている。」
　
（３）「【００５６】各ポケットの底面が、ＸＹ軸より形成されるＸＹ平面と平行であるとすると、各ポケットの底面には、Ｃインク用のキャリッジ連結口４０４とＭインク用のキャリッジ連結口４０５とＹインク用のキャリッジ連結口４０６とが、ＸＹ平面上において、Ｘ軸からＹ軸へ斜めに４５°傾いた方向に、等間隔で並んで配設されている。」
　
（４）「【００５７】Ｋインク用のキャリッジ連結口４０７は、図１のキャリッジ１０５のポケット底面上のキャリッジ連結口１１５の位置と同じ位置に配設されている。」
　
（５）「【００５８】Ｋインク用のキャリッジ連結口４０７とＹインク用のキャリッジ連結口４０６とのＹ軸方向の間隔はｙ3であり、Ｙインク用のキャリッジ連結口４０６とＭインク用のキャリッジ連結口４０５とのＹ軸方向の間隔はｙ2であり、Ｍインク用のキャリッジ連結口４０５とＣインク用のキャリッジ連結口４０４とのＹ軸方向の間隔はｙ1となっている。つまり、各キャリッジ連結口４０４〜４０７のＹ軸方向の間隔は、図１のキャリッジ１０５の各キャリッジ連結口１１２〜１１５のＹ軸方向の間隔に等しくなっている。」
　
（６）「【００５９】インクカートリッジ４０２は３つのブロック４１２〜４１４から構成されている。ブロック４１２にはＣインク、ブロック４１３にはＭインク、ブロック４１４にはＹインクが収容される。」
　
（７）「【００６０】ブロック４１２にはＣインク用インクカートリッジ連結口４０８が設けられており、ブロック４１３にはＭインク用インクカートリッジ連結口４０９が設けられており、ブロック４１４にはＹインク用インクカートリッジ連結口４１０が設けられている。」
　
（８）「【００６１】インクカートリッジ４０２をキャリッジ４０１のポケットに装着した場合には、キャリッジ連結口４０８はインクカートリッジ連結口４０４に連結され、キャリッジ連結口４０９はインクカートリッジ連結口４０５に連結され、キャリッジ連結口４１０はインクカートリッジ連結口４０６に連結される。」
　
（９）「【００６２】インク流路部１０６と記録ヘッド部１０７とは、第１の実施形態のインクジェット記録装置と同様に一体化されており、各インク流路１１６〜１１９に流出した各インクは、記録ヘッド部１０７の各記録ヘッド１２４、１２５に供給される。」
　  
（１０）「【００６３】本実施形態のインクジェット記録装置では、１つのインクカートリッジ４０２をポケットに装着するだけでも、Ｃ、Ｍ、Ｙの３色のインクでのカラー画像の記録が可能になる。」
　
（１１）「【００６７】また、第１の実施形態および第２の実施形態のインクジェット記録装置では、インクカートリッジ１０１〜１０４、４０２、４０３が装着されていないポケットが存在する場合に、そのポケットにあるキャリッジ連結口１１２〜１１５、４０４〜４０７からインクが流出する可能性がある。この問題を解決するためには、図５に示すような弁機構が各ポケットのキャリッジ連結口１１２〜１１５、４０４〜４０７に設けられるようにすればよい。」
　
（１２）先願明細書等の図４から、インクカートリッジ４０２の底面にインクカートリッジ連結口４０８〜４１０があることが看取される。
　
　記載（２）・（１０）によれば、キャリッジ４０１のポケットにインクカートリッジ４０２を装着することで記録が可能になり、記載（９）によれば、インクは記録ヘッド１２４，１２５に供給されるから、記載（１）にいう「本発明の第２の実施形態のインクジェット記録装置」では、インクカートリッジ４０２のインクが記録ヘッド１２４，１２５に供給される。
　
　記載（６）によれば、３色Ｃ，Ｍ，Ｙのインクが、インクカートリッジ４０２のブロック４１２，４１３，４１４にそれぞれ収容されている。
　
　記載（７）によれば、インクカートリッジ４０２には、３色Ｃ，Ｍ，Ｙのインクをキャリッジ側に供給するインクカートリッジ連結口（Ｃインク用インクカートリッジ連結口４０８、Ｍインク用インクカートリッジ連結口４０９、Ｙインク用インクカートリッジ連結口４１０）が設けられている。
　
　記載（２）には、インクカートリッジ４０２がキャリッジ４０１の４つのポケットのいずれにも装着可能である旨の記載がある。
　記載（１１）の「装着されていないポケットが存在する場合に」との記載は、裏を返せば、４つあるすべてのポケットに装着することもあることを意味する。
　一方、記載（９）と引用例の図４からわかるように、４つのポケットのそれぞれのキャリッジ連結口４０４〜４０７から来るインクはインク流路１１６〜１１８でつながっているので、記載（１０）にいうように、１つのポケットにインクカートリッジ４０２を装着しただけでも３色のインクが供給できる。
　つまり、インクカートリッジ４０２をキャリッジ４０１の４つのポケットから１つ以上４つ以下のどのポケットを選択して装着してもよい。
　複数装着した場合は、所定数のインクカートリッジ４０２が引用例の図４におけるＸ方向に並んでキャリッジ４０１に保持されることになる。
　
　記載（５）によれば、Ｙインク用のキャリッジ連結口４０６、Ｍインク用のキャリッジ連結口４０５、Ｃインク用のキャリッジ連結口４０４は（引用例の図４から看取されるように上記Ｘ方向と交差する方向である）Ｙ方向に間隔ｙ2、ｙ1を隔てて並んでいる。
　そして、記載（８）によれば、Ｙインク用のキャリッジ連結口４０６、Ｍインク用のキャリッジ連結口４０５、Ｃインク用のキャリッジ連結口４０４は、インクカートリッジ４０２の３色のインクの供給口であるＹインク用インクカートリッジ連結口４１０、Ｍインク用インクカートリッジ連結口４０９、Ｃインク用インクカートリッジ連結口４０８にそれぞれ接続される。
　よって、３色のインクの供給口が、キャリッジ４０１のインクカートリッジ４０２の並設方向とは交差する方向の異なる位置に固定されていることになる。
　
　してみるに、先願明細書等には、次の発明が記載されていると認められる。  
「記録ヘッド部１０７に供給される各色のインクがそれぞれ収容されると共に底面にインクカートリッジ連結口４０８〜４１０を有し、該インクカートリッジ連結口４０８〜４１０に接続されるキャリッジ連結口４０４〜４０６が固定されたポケットに並んで保持されるインクカートリッジ４０２であって、
　複数のブロック４１２〜４１４が備えられると共に所定数並んで保持され、
　各インクカートリッジ４０２に対して前記インクカートリッジ連結口４０８〜４１０に接続される前記キャリッジ連結口４０４〜４０６が前記ポケットに備えられ、
　各色のインクカートリッジ連結口４０８〜４１０が、前記ポケットの前記インクカートリッジ４０２の並設方向とは交差する方向の異なる位置に固定され且つ前記ポケットの異なる位置に固定されたキャリッジ連結口４０４〜４０６に対応するインクカートリッジ４０２」（以下、「先願発明」という。）
 　  
４．対比  
 　先願発明を本願発明と比較すると、
  
 　先願発明の「記録ヘッド部１０７」、「インクカートリッジ連結口４０８〜４１０」、「ポケット」、「ブロック４１２〜４１４」は、本願発明の「インクジェット式記録ヘッド」、「インク供給口」、「保持部材」、「インク収容室」に相当する。
　
　先願発明の「キャリッジ連結口４０４〜４０６」は、インクカートリッジ側の「インク供給口」（インクカートリッジ連結口４０８〜４１０）と接続し「保持部材」（ポケット）側でインクを受ける「インク受け部材」である点で、本願発明の「インク供給針」と共通している。
　  　  
　以上のことから、両者は、以下の点で一致し、以下の点で一応相違する。
〈一致点〉  
 「インクジェット式記録ヘッドに供給される各色のインクがそれぞれ収容されると共に底面にインク供給口を有し、該インク供給口に接続されるインク受け部材が固定された保持部材に並んで保持されるインクカートリッジであって、
　複数のインク収容室が備えられると共に所定数並んで保持され、
　各インクカートリッジに対して前記インク供給口に接続される前記インク受け部材が前記保持部材に備えられ、
　各色のインク供給口が、前記保持部材の前記インクカートリッジの並設方向とは交差する方向の異なる位置に固定され且つ前記保持部材の異なる位置に固定されたインク受け部材に対応するインクカートリッジ」である点。  
 　  
〈相違点〉  
（ｉ）インクジェット式記録ヘッドが、本願発明では、「インク滴を吐出する複数のノズルを有するインクジェット式記録ヘッド」と特定されるのに対して、先願発明は、該特定を有するか否か定かでない点。  
 　  
（ｉｉ）「インク受け部材」が、本願発明では、「インク供給針」と特定されるのに対して、先願発明は、該特定を有するか否か定かでない点。
　
（ｉｉｉ）保持部材に備えられ「インク受け部材」の数に関して、本願発明では、「各インクカートリッジに対して一つの前記インク供給口に接続される前記インク供給針が前記保持部材に備えられ、」と特定されることで保持部材には一つの「インク受け部材」（インク供給針）が備えられのに対して、先願発明の保持部材（ポケット）の「インク受け部材」（キャリッジ連結口４０４〜４０６）は少なくとも３つ（Ｙインク用のキャリッジ連結口４０６、Ｍインク用のキャリッジ連結口４０５、Ｃインク用のキャリッジ連結口４０４）あるので、先願発明が該特定を有しない点。
　
５．当審の判断  
　上記相違点について、以下に検討する。
　
相違点（ｉ）について
  本願発明はインクカートリッジについての発明であって、それがどのような構成の記録ヘッドを持つインクジェット記録装置に用いられるかは、発明たるインクカートリッジの構成を限定するものではない。そして、「インク滴を吐出する複数のノズルを有するインクジェット式記録ヘッド」はインクジェット式記録ヘッドとして一般的である。
　つまり、本願発明において、「インク滴を吐出する複数のノズルを有するインクジェット式記録ヘッド」とされている点は、そのような一般的なインクジェット記録装置に用いることができるインクカートリッジであるというにすぎない。
　そして、先願発明のインクカートリッジも、そのような一般的なインクジェット記録装置に用いることができる。
　したがって、相違点（ｉ）は実質的には存在しない。
　
相違点（ｉｉ）について
  本願発明はインクカートリッジについての発明であって、それがどのような構成の「インク受け部材」を持つ「保持部材」に保持されるかは、発明たるインクカートリッジの構成を限定するものではない。実際、本願発明は、「インク供給口」の構成に関して、「インク供給針」と接続するための格別の構成を備えていない。
　一方、「インク供給針」は、インクジェット記録装置の「インク受け部材」として一般的である。
　つまり、本願発明において、「インク受け部材」が「インク供給針」とされているのは、「インク供給針」を使う一般的なインクジェット記録装置に用いることができるインクカートリッジであるというにすぎない。
　そして、先願発明のインクカートリッジも、そのような一般的なインクジェット記録装置に用いることができる。
　また、上記「３．先願発明」の記載（１１）に「インクが流出しないようにするには、弁機構があるキャリッジ連結口に設けるとよい。」旨の記載があるが、これは裏を返せば、先願発明のインクカートリッジと接続する「インク受け部材」（キャリッジ連結口）には、弁が有るもの以外の「インク受け部材」を採用してもよいことを意味する。
　したがって、相違点（ｉｉ）は実質的には存在しない。
　
相違点（ｉｉｉ）について
  本願発明はインクカートリッジについての発明であって、それが幾つの「インク受け部材」を持つ「保持部材」に保持されるかは、発明たるインクカートリッジの構成を限定するものではない。
　そして、１つの「インク受け部材」を持つ「保持部材」は、引用例の図６に従来技術として記載されているように、一般的である。
　つまり、本願発明において、「各インクカートリッジに対して一つの前記インク供給口に接続される前記インク供給針が前記保持部材に備えられ、」とされている点は、「インク受け部材」が１つの一般的な「保持部材」に本願発明のインクカートリッジを保持して用いることができるというにすぎない。
　そして、先願発明のインクカートリッジも、そのような一般的な「保持部材」に保持させることができる。
　引用例において、（第２の実施形態）として記載された実施形態では、１つのポケットに１つのインクカートリッジを装着するだけで３色のインクが供給できるよう工夫されたポケットであるから、ポケットが少なくとも３つの「インク受け口」たるキャリッジ連結口を備えているのであって、先願発明のインクカートリッジを、１つの「インク受け部材」のある一般的な「保持部材」に保持させると、そのポケットが１色のインクの供給をするという従来技術とおりの一般的な状況になるだけのことである。
　したがって、相違点（ｉｉｉ）は実質的には存在しない。
　
　以上のとおりであるから、本願発明は、先願発明と実質的に同一である。   　  
６．むすび  
　本願発明は、先願明細書等に記載された発明と実質的に同一であり、しかも、本願発明の発明者が上記先願明細書等に記載された発明の発明者と同一であるとも、また、本願の出願時に、その出願人が上記他の出願の出願人と同一であるとも認められないので、本願発明は、特許法第２９条の２の規定により特許を受けることができない。  
　したがって、他の請求項について検討するまでもなく、本願は、拒絶すべきものである。  
　よって、結論のとおり審決する。